(57)【要約】本発明は、単純で、経済的で、その実施が簡単であると同時に、高速生産に応じることの可能である装置である予め決められかつ制御されるランダムな順番で変動する長さ方向外形の連続縦方向進行材料幅部内の切断を可能にする切断装置に関する。本発明による切断装置（５）には材料幅部の縦進行方向Ｄに垂直に配置される対向筒（７１）と協働する円状刃（６１）が含まれる１組の切断工具（６０）が含まれる。これらの切断工具（６０）は台座（５０）に関する２軸、各切断工具の切断角度を修正するよう対向する筒（７１）に垂直な回転軸（Ａ）ならびに２つの切断工具（６０）間の間隔を修正するように対向筒（７１）に平行な平行移動軸（Ｂ）により移動可能に取り付けられる。各切断工具（６０）は変動しかつ与えられたランダムな順番で外形の切断線に応じて中央制御装置により２軸（Ａ，Ｂ）による組み合わせで制御される回転駆動機構（８）と平行移動機構（９０）に連結される。用途：文房具、織物、プラスチックフィルム等の分野、特に郵便物処理機の分野【選択図】図３
2009502526.tif 000002
【特許請求の範囲】
【請求項１】
各切断工具（６０，６０‘）が平行移動駆動機構（９０）および回転駆動機構（８０）に連結され、前記駆動機構（９０，８０）が事前に決められかつ制御されるランダムな順番で変動する長さ方向の外形切断線（１２）に応じて少なくとも１台の中央制御装置により組み合わされて制御されることを特徴とする、材料（１０）幅部の進行方向に垂直に配置される少なくとも１個の対向部品（７０、７０‘）と協働する少なくとも１つの第１組切断工具（６０，６０‘）、および対向部品（７０，７０’）に平行な平行移動軸（B）により２つの切断工具（６０，６０’）間の間隔を修正するように、かつ対向部品（７０，７０‘）に垂直な回転軸（A）により切断角度を修正するように移動する前記切断工具（６０，６０’）が取付けられる少なくとも１つの台座（５０）が含まれる、ランダムな順番で変動する長さ方向外形（１２）をたどる少なくとも１本の帯（１１）の切断用の特に紙または同様のものの連続縦方向進行材料（１０）の幅部の長さ方向切断装置（５，５‘）
【請求項２】
切断工具がレーザービーム、超音波ビーム、噴射水、鋭利な尖端、円形刃が含まれる集団の中から選択されることを特徴とする請求項１による装置
【請求項３】
事前に決定されかつ制御されるランダムな順番で変動する長さ方向第２外形（１２‘）をたどる連続縦方向進行材料（１０‘）の同一幅部内の第２帯（１１'）の切断用第２組切断工具（６０，６０‘）が含まれることを特徴とする請求項１による切断装置
【請求項４】
各切断工具（６０，６０‘）が少なくとも１つの横断方向誘導具（５１）に沿って前記台座（５０）上を平行に移動するキャリッジ（６３）上に取付けられ、前記キャリッジ（６３）が前記平行移動駆動機構（９０）に連結されることを特徴とする請求項１から請求項３までの任意の請求項による切断装置
【請求項５】
回転駆動機構（８０）に前記移動キャリッジ（６３）上に乗せられると同時にその切断工具（６０，６０‘）に連結される少なくとも１台の駆動装置（８１）が含まれることを特徴とする請求項４による切断装置
【請求項６】
前記駆動装置（８１）が機械伝動装置（８２，８３）によりその切断工具（６０，６０‘）に連結されることを特徴とする請求項５による切断装置
【請求項７】
対向部品（７０）から離れた少なくとも１ヶ所の持ち上げられた停止位置と対向部品（７０）と押圧接触する下げられた作動位置間の前記切断工具（６０）移動用に設置される少なくとも１台の圧搾機構（６５）が含まれることを特徴とする請求項１から請求項６までの任意の請求項による切断装置
【請求項８】
前記移動キャリッジ（６３）に乗せられる前記圧搾機構に少なくとも１台のジャッキ（６５）が含まれること、ならびに前記切断工具（６０）が前記回転軸（Ａ）を定める前記ジャッキ（６５）の軸（６４）により支えられることを特徴とする請求項７による切断装置
【請求項９】
前記切断工具（６０‘）に円形刃（６１）と前記回転軸（Ａ）の周りを揺動支持材（５３）により支えられ、接すると同時に前記回転駆動機構（８０）に連結される対向円形刃（６１‘）が含まれることを特徴とする請求項５による切断装置
【請求項１０】
前記対向部品（７０‘）にローラー（７１’）により延長されると同時に、揺動する前記支持材（５３）に乗せられる駆動装置（７３）によりその軸（Ｅ）廻りに回転駆動される対向円形刃（６１’）が含まれることを特徴とする請求項９による切断装置
【請求項１１】
平行移動駆動機構（９０）に１組の切断工具（６０，６０‘）に共通の少なくとも１台の駆動装置（９１）が含まれると同時に、逆転方向かつこれと同期をとった前記移動キャリッジ（６３）の平行移動用に設置される機械伝動装置を通じて前記移動キャリッジ（６３）に連結されることを特徴とする請求項４による切断装置
【請求項１２】
前記駆動装置（７３，８１，９１）が原動機類、原動減速機類、サーボ原動機類、ジャッキ類、電気磁石類が含まれる集団の中から選択されることを特徴とする請求項５、請求項１０または請求項１１による切断装置
【請求項１３】
前記機械伝動装置が、歯車装置類（８２，８３）、小歯車（９２，９３）と平板歯車（９４）類、逆ねじ山（101a, 101b）付きウォームネジくぎ（１０１）とナット（１０４）類、小連結棒（１１２、１１３）類、ウォームネジくぎ（１２４，１２５）と小連結棒（１２３）類が含まれる集団の中から選択されることを特徴とする請求項６または請求項１１による切断装置
【請求項１４】
前記対向部品（７０）にその軸（Ｃ）廻りの回転作動筒（７１）が少なくとも１本含まれることを特徴とする請求項１による切断装置
【請求項１５】
少なくとも１台から出る切断屑の自動排出装置が含まれることを特徴とする請求項１による切断装置
【請求項１６】
排出装置に各切断工具（６０，６０‘）の近傍に設置されると同時に、中央吸入装置を経由する配管により容器に連結される少なくとも１本の吸入導管（８）が含まれることを特徴とする請求項１５による切断装置
ｓ
【発明の詳細な説明】
【技術分野】
【０００１】
本発明は、ランダムな順番で長さ方向変動する外形に従って少なくとも１本の帯を切断するための連続縦方向進行材料、特に紙あるいは同様のものの幅部の長さ方向切断装置に関するもので、この装置には材料幅部の縦進行方向に垂直に配置される少なくとも１つの対向部品と協働する少なくとも１つの第１組の切断工具、ならびに対向部品に平行な平行移動軸により２つの切断工具の間の間隔が修正されるようにかつ対向部品に垂直な回転軸により切断角度が修正されるように、移動する前記切断工具が取り付けられる少なくとも１つの台座が含まれる。
【背景技術】
【０００２】
連続縦方向進行幅部の切断装置は文房具の分野、例えば、封筒や封筒に導入されるよう仕向けられる文書の切断装置が見受けられる郵便物が準備されるために採用される機械ではよく知られている。あらゆる場合において、紙の同一幅部に切断する文書は一様であり切断の形状とピッチは一定である。切断工具は、従って、連続縦方向進行する紙幅部内で、回転筒がなす少なくとも１つの外形または各回転時の形状の切断を可能にする回転筒上に取り付けられる切断刃で形成され、この外形あるいはこの形状は一様にかつ周期的に再現される。このタイプの切断工具では再現可能な順番では記録されないランダムに変動する外形または形状の切断は可能とならない。
【０００３】
公開GB-702 116には紙幅部の各端部に設置されると同時に、非線形の切断外形による紙の幅縁部の切断のためにそれぞれ横方向に移動しやすく揺動アーム端部に取り付けられる２つの尖端またはルーレットが含まれる別の切断装置が説明されている。切断工具の横移動は揺動アームに連結されると同時に回転筒内に設置されるカム外形内に誘導される駆動指により得られる。この装置により得られる切断外形も周期的であり、切断工具の行程は筒の各回転につき一様である。
【０００４】
公開US 5,918,519ではまた、横方向移動キャリッジに乗せられると同時に、この切断点により刃の横移動時に円弧が描かれると同時にランダムな非線形の切断外形が生ずるように、刃の切断地点から遠ざかる垂直軸廻りを動くバランス棒により支持される対向部品と協働する２つの円形刃が含まれる別の切断装置も説明されている。刃が横方向に移動する時にのみ生ずる条件での刃の角度移動は、故に、制御可能ではない。このため得られる切断外形は制御されない。
【０００５】
従って、既知の切断装置はランダムで完全に制御された順番の長さ方向外形に応じた切断は不可能な点で満足がいくものではない。
【特許文献１】公開GB-702 116
【特許文献２】公開US 5,918,519
【発明の開示】
【発明が解決しようとする課題】
【０００６】
本発明は、単純で経済的、実施と構成が容易で、高速生産に応えることの可能な装置である連続した縦方向に進行する材料の幅部に、ランダムな順番で変動する制御された長さ方向外形の切断を可能にする切断装置を提案してこれらの不都合をなくすことにある。
【０００７】
この目的で、各切断装置は平行移動駆動機構と回転駆動機構により切断されることを特徴とする本発明は序文で示された類の切断装置に関するもので、これらの機構は、予め決められかつ制御されるランダムな順番で変動する長さ方向外形切断線に応じて少なくとも１台の中央制御装置により組み合わせられて制御される。
【０００８】
切断工具はレーザービーム、超音波ビーム、噴射水、鋭利な尖端、円状刃が含まれる集団の中で選択可能である。
【０００９】
ある実施変形例によると、この切断装置には、連続縦方向進行材料の同一幅部内で事前に決められかつ制御されるランダムな順番で変動する長さ方向第２外形をたどる第２帯の切断用の第２組の切断工具が含まれうる。
【００１０】
好ましい実施形態では、各切断工具が少なくとも横方向誘導具に沿って台座上を平行に移動するキャリッジ上に取り付けられ、このキャリッジは平行移動駆動機構に連結される。
【００１１】
回転駆動機構には移動キャリッジに乗せられると同時にその切断工具に直接あるいは機械伝動装置を通じて連結される少なくとも１台の駆動装置が含まれると都合がよい。
【００１２】
該切断装置には、対向部品位置から離れた少なくとも１ヶ所の持ち上げられた停止位置と対向部品と押圧状態で接触する下げられた作動位置の間で切断工具の移動用に設置される少なくとも１つの圧搾機構が含まれうる。
【００１３】
好ましい実施形態では、該圧搾機構には移動キャリッジに乗せられる少なくとも１つのジャッキが含まれると同時に、切断工具は該ジャッキ軸により支えられるかまたは逆に該軸によりこの回転軸が定められる。
【００１４】
ある変型実施例では、切断工具には円状刃と回転駆動機構に連結される前記回転軸周りの揺動支持材により支持され接する円状対抗刃が含まれうる。
この場合には、対向部品にはローラーにより延長されると同時に、揺動支持材に乗せられる駆動装置による軸周りを回転駆動する円状対抗刃が含まれると都合がよい。
【００１５】
好ましい実施形態例では、該平行移動駆動機構には１組の切断工具に共通であると同時に、逆転方向のキャリッジの平行移動用であるとともに同期をとるように設置される機械伝動装置による移動キャリッジに連結される少なくとも１台の駆動装置が含まれる。
【００１６】
諸駆動装置は原動機、原動減速機、サーボ原動機、ジャッキ、磁石が含まれる集団から選択可能であると同時に機械伝動装置は歯車伝動装置、小歯車装置、および平板歯車、逆ねじ山付きあるいは二重ねじおよびナットのウォームネジくぎ、小連結棒、歯車および小連結棒が含まれる集団から選択可能である。
【００１７】
好ましい実施形態例では、対向部品には少なくとも１本のその軸周りの回転作動筒が含まれる。
【００１８】
切断装置は各切断工具の近傍に設置されると同時に、中央吸入装置を経由する配管により容器に接続される少なくとも１本の吸入導管が含まれる少なくとも１台の切断から生ずる切り屑の自動排出装置により補完されると都合が良い。
【課題を解決するための手段】
【００１９】
図１を参照すると、本発明による切断装置５が「切断」部分のみがこの図に表わされる郵便物１の準備装置中にその用途を見出す。この郵便物準備機械１は従来の機械とは封筒１４が、この場合に、折込文書１３が印刷されかつ切断される紙幅部である材料１０の幅部の全体部分をなす点で区別される。この新しい技術は進行速度アップ、安全性ならびに折込による原価低減といった郵便物の完全性の強化といった多くの利点を示す。この新技術はこのため、文書１３および/または封筒１４の数やサイズが手紙からその他まで変化可能な、非直線かつ非繰り返しで、制御されて長さ方向に変動する外形１２による紙１０の幅部内の帯１１の切断用に設置される本発明の対象である「動的」いわれる切断装置５を必要とする。図２Ａは２枚の封筒１４と３つの文書１３が含まれる帯１１が切断される紙１０の幅部の第１供試体を図解する。図２Ｂは相互にずらされ、各帯１１，１１‘が適当な外形１２，１２’を有する各２枚の封筒１４と３つの文書１３が含まれる２本の帯１１，１１‘が切断される紙１０‘の２倍幅部の第２供試体を図解する。勿論、本発明による切断装置５は文房具、織物、プラスチック製造業、鋼板工場などの業界で「動的」といわわれる切断を必要とする他の分野でも応用可能であると同時に、材料１０の幅部は紙、厚紙、織物、非織布、プラスチックフィルム、鋼板などの幅部でありえる。
【００２０】
図１を参照すると、紙１０の幅部は巻き取り機２により支持される事前印刷されたロールから解かれる。これらはまたつながっている印字機から直接取り出すことも可能である。紙１０の幅部は第１ローラー引張装置３を横切った後、封筒１４の横方向折り返し部１６に折り目１５を付けるため設置される溝きり装置４が引き続き折込操作を助ける。紙の幅部１０は２つの切断工具６０とその切断屑自動排出装置の吸入導管８によってのみ示される切断装置５を横切る。この切断装置５により文書１３がほどよい幅部に整えられると同時に、封筒１４の横方向折り返し部１６が作られ、これらが文書１３の幅部を越える紙帯１１形成用の長さ方向縁部または幅部の縁部１０の切断が可能となる。この切断装置５により発生する紙屑は中央吸入装置（図示されず）を経由して貯蔵容器の方向に吸入導管８により自動的に排出される。ロール紙１０は第２ローラー引張装置６を横切る行程を追った後、例えば刃付き回転筒を利用する横方向切断装置７により選定と積重ねの装置の後に折込と封筒１４の文書１３（図示されず）と一緒の閉鎖の装置を供給するための文書１３の封筒１４からの分離が可能となる。横方向切断装置７は切断様式に応じて稼動される中央制御装置（図示されず）により制御され、封筒１４の切断長さは文書１３のものとは異なる。この稼動は、文書１３と封筒１４の間の切断様式を特定する目的で補完される情報プログラムによりあるいは幅部１０または紙帯１１にわたり印刷される諸基準点を見出すために設置されるピックアップにより搬送される信号により得られる。
【発明を実施するための最良の形態】
【００２１】
図３および図４に参照されて図示される切断装置５には例えば、機械溶接などで製作されると同時に、矢印Ｄにより示されるロール紙１０縦進行方向に垂直に配置される少なくとも１つの対向部品７０と協働する少なくとも第１組の切断工具６０支持用に設置される台座５０が含まれ、ロール紙１０は事前に決められかつ制御されるランダムな順番１２で変動する長さ方向外形を生み出すためにロール紙１０の長さ方向縁を切断するように切断工具６０と対向部品７０の間を縦に進行する。このため、切断工具６０は、各切断工具６０の切断角度を修正するように対向部品７０に垂直な回転軸Ａと２つの切断工具６０間の間隔を修正するように対向部品７０に平行な平行移動軸Ｂの２軸により台座５０に関して移動するよう取り付けられる。この例では、各切断工具６０は、事前に決められるランダムな順番１２で長さ方向に変動する外形に応じて中央制御装置（図示されず）による２つの回転と１つの平行移動の軸による組み合わせで制御される回転駆動機構８０と平行移動駆動機構９０により切断される。
【００２２】
対向部品７０には台座５０に関してその軸Ｃ周りに回転移動する取り付けられる筒７１が含まれる。諸用途により、この対向部品７０は勿論様々な形態を有することができると同時に、台座５０に関して固定されことができる。この例では、筒７１は１つのプーリー７２だけが示されると同時に台座５０の横壁と一体の軸受け内に誘導される機構によるかあるいはその他のあらゆる同等手段による回転で駆動される。駆動機構は直接連結されるかまたは対向部品７０の軸の機械伝動装置によるあらゆるタイプの駆動装置から構成されと同時に、ロール紙１０の縦方向進行の速度に応じて中央制御装置（図示されず）により制御される。筒７１は好ましくは切断工具６０のものより長いと同時に、熱、化学等の処理により得られる例えば６３ＨＲＣに等しい耐久性のスチールから製作可能である。
【００２３】
示された例では、各切断工具６０には、例えば、６１ＨＲＣに相当する耐久性のスチール製であるとともに本体６２に取り付けられる対向部品７０により回転駆動されるその軸Ｅ周りに回転する円状刃６１が含まれる。軸Ｃを通る軸Ａならびに軸Ａを通る軸Ｅ、筒７１上の円状刃６１の支点Ｐは軸Ａ上の直線に並べられる。当然ながら、その他の構成も可能である。本体６２は玉軸受けなどによる軸Ｂの横断方向誘導具５１に沿ったキャリッジ５０に関する平行移動で移動キャリッジ６３により支持される。
【００２４】
各切断工具６０の回転駆動機構８０は対向する移動キャリッジ６３上に乗せられる。これには示された例では、減速機を形成する本体６２と一体の大歯車８３を噛合する小歯車原動機８２により切断工具６０に連結されたサーボ原動機８１が含まれる。本体６２は玉軸受けなどによる軸６４の端部の移動キャリッジ６３に関する回転で誘導される。この軸６４は少なくとも１ヶ所の対向部品７０と接触しないと同時に、ロール紙１０の通り抜けを可能にする持ち上がった停止位置と対向部品７０と破砕により切断を行うと同時に円状刃６１の損耗を埋め合わせるために同時に利用されるある一定の圧力下で接触する下がった作動位置との間の円状刃６１の鉛直移動用に設置される圧搾機構を形成するこれも移動キャリッジ６３に乗せられる空圧などのジャッキ６５の一部をなす。小型の歯車原動機８２の幅部はすっかり噛合しつつその停止位置と作動位置の間の円状刃６１の鉛直移動を可能にする大歯車８３のものより大きい。当然ながら、その他の圧搾機構も合わせことが可能である。
【００２５】
平行移動駆動機構９０は２つの切断工具６０と共通であると同時に、示された例では、２つの小歯車９３を対向する直径方向に噛合し、そのそれぞれは同期をとってかつ対向する方向のこれらの移動キャリッジ６３の平行移動用の移動キャリッジ６３と一体の平板歯車９４を噛合する小型歯車原動機９２により切断工具６０に結合されたサーボ原動機９１を含む。移動キャリッジ６３の逆の平行移動はサーボ原動機９１の回転方向を逆にして得られる。
【００２６】
中央制御装置（図示されず）により別々の駆動装置、特にサーボ原動機８１，９１の機能稼動が極めて簡単に、極めて正確に、かつロール紙１０内の変動する長さ方向切断外形１２に応じた組合が可能となり、この外形はランダムで、非周期的かつ完全に制御される。この中央制御装置は補完情報プログラムによりあるいはまた文書１３と封筒１４との間の切断様式を特定する目的で紙１１の幅部１０または帯にわたる印刷基準点探知用に設置されるピックアップにより引き渡される信号により稼動される。
【００２７】
当然ながら、その他の駆動機構８０，９０も合わせることができ、不可欠なことは、その軸周りの回転と対向部品７０の軸に平行な平行移動の組み合わせ移動により切断工具６０の極めて精度よくかつ極めて迅速に移動させることにある。
【００２８】
これらの駆動機構８０，９０の機構で利用される駆動装置８１，９１は、その他のタイプの原動機あるいは原動減速機、ジャッキ、電磁石などでも構成可能である。しかしながら、サーボ原動機８１，９１の利用は、出足の遅れも、停止慣性もなく極めて精度よくこれらの原動機の移動の制御が可能であるので制御に関する大きな柔軟性を有する利点を有する。
【００２９】
回転駆動機構８０のためには、切断工具６０による駆動装置８１の設置が好ましく、これらの切断工具６０は平行移動が可能である。２つの切断工具６０用の駆動装置により設置機械伝動装置に関する実施が複雑となろう。
【００３０】
平行移動駆動機構９０については、１組の切断工具６０による駆動装置９１の設置という事実により２つの切断工具６０の同時移動の確保が可能となる。図３および図４に示された機械平行移動装置はその他の別の同等装置で置き換えることも可能であり、３つの例が図６から図８に示される。
【００３１】
図５Ａおよび図５Ｂは各切断工具６０‘に円状刃６１ならびに円状対抗刃６１’が含まれる本発明による別の切断装置５‘を示しており、これらの刃ははさみ切断を生ずるための切断地帯に接している。この実施例では、対向部品７０’には対向部品６１‘の延長部に配置されると同時に材料幅部１０の誘導用に設置されるローラー７１‘が含まれる。刃６１、対向刃６１’およびローラー７１‘により形成される全体は移動キャリッジ６３に乗せられると同時に、前出例と類似の回転駆動機構８０で連結される揺動支持材５３により支持される。円状刃６１と６１’は下部円状刃６１‘とローラー７１’に直接または機械伝動装置により連結される駆動装置７３によりこれらの軸Ｅの周りに回転駆動される。駆動装置７３はあらゆるタイプの原動機などであってよい。この実施例では、ジャッキ６５で構成される圧搾機構はもはや必要ない。材料幅部１０の切断装置５‘内通り抜けのために、揺動支持材５３が切断地帯の刃６１，６１’の取り出し用の平行移動駆動機構９０により移動される。その後、切断開始には、揺動支持材５３が挟みのように切断地帯に刃６１，６１‘をかみ合わせるために逆転方向に移動される。
この切断装置５’には最良品質の切断が生まれる利点がある。
【００３２】
当然ながら、その他の切断工具も利用可能であり、ランダムな順番で制御されて変動する長さ方向外形による材料帯の連続切断が可能であることが不可欠である。このため、円状刃６１，６１‘をレーザーあるいは超音波のビーム、高圧下の流体噴射、鋭利な尖端などで置き換えることも考えられる。
【００３３】
図６では、平行駆動機構１００に、逆ねじ山101a, 101b付きウォームネジくぎ１０１による機械伝動装置が含まれ、このウォームネジくぎ１０１はこれらの軸受け１０２，１０３内に誘導されると同時に、その端部の１端に連結されるものの図示はされてはいない原動機のような駆動装置により回転制御される。
【００３４】
各ねじ山101a、101bは移動キャリッジ６３に設置されるナット１０４と噛合し、ある方向のウォームネジくぎ１０１の回転により移動キャリッジ６３の平行移動と同時に、つまりは切断工具６０が同時にかつ対向する両方向に起動し、逆の平行移動が駆動装置の回転方向とは逆に生じる。
【００３５】
図７の平行移動駆動機構１１０には小連結棒１１２，１１３を伴った装置による機械式伝動装置が含まれる。電動原動機、サーボ原動機などといった駆動装置１１１により、中心がずらされた小連結棒１１３によりその原動機軸上で移動キャリッジ６３上に連結される連接棒１１２が支持され、切断工具６０の平行移動と同時にその反対方向にも駆動装置１１１の回転が引き起こされ、逆の平行移動が駆動装置１１１の回転方向を逆転させながら生み出される。
【００３６】
図８は諸小連結棒１２３がそれぞれ共通小歯車原動機１２５に噛合する歯車１２４に連結される点が異なる前出と同様の平行移動駆動機構１２０を示す。このように、駆動装置は同一回転方向に回転可能であると同時に、移動キャリッジ６３の平行移動と同時にその反対方向への２種の移動を開始し、各平行移動は駆動装置の半回転上（図示されず）に得られる。この方案により平行移動の方向を変えることが必要になる度に、その各回転方向を逆転させるための駆動装置の強制停止が回避される。
【００３７】
本発明による切断装置１０，１０‘は、第１組切断工具６０の軸または同一材料幅部内の第２帯の切断目的でずれた軸内に配置される第２組の切断工具６０，６０’を通じて、また、図２Ｂの例により例示されるように、第１組と同じかまたは異なる変動する長さ方向外形に応じて補完可能である。
【産業上の利用可能性】
【００３８】
図１および図２に示された例では、文書１３と封筒１４は、あらゆるタイプの印字機により分離された場所で紙１０幅部にその折込みのために予定された順番で順次続けて連続印刷され、該ロール紙１０は郵便物準備機１に供給されるためにロールの形で再び巻き取られた。この技術については、各文書は任意の特定の封筒に合わせられると同時に仕向けられることが容易に可能である。この郵便物準備機１は、従って、郵便物の完全性重視が難なく保証されるとともに区域別仕分けと同じ位従来の郵便物にも十分充当可能であって、つまりは正常な文書が正常な封筒内に納まることなる。
【００３９】
ロールが巻き取り機２に設置されるときに、ロール紙１０は別々の装置３から７までの装置内を越えて通り抜ける。図３および図４による切断装置５からの通り抜けのため、ジャッキ６５により円状刃６１が持ち上げられた後、印刷されたロール紙１０に関して切断工具６０の調整固定が行われる。平行して、情報プログラムが切断帯に対応する中央制御装置に投入されるかあるいは既に記憶されたプログラムが選択される。円状刃６１が作動位置に下げられると同時に、機械が作動開始する。ローラー引張装置６により引っ張られる紙幅部１は、文書１３の幅と封筒１４の幅と横方向折り返し１６により決定されるランダムな順番で変動する外形に応じてロール紙１０の長さ方向縁を切断する切断装置５を横断して、連続して縦方向に進行する。文書１３より大きい封筒１４の折り返し１６が形成されるために、中央制御装置により切断工具６０の回転駆動機構８０ならびに平行移動駆動機構９０が同時にかつ円状刃６１の移動のために曲線切断線の生成が可能となる回転と平行移動の組み合わせに応じて組み合わせられるように運転される。
【００４０】
図５Ａおよび図５Ｂによる切断装置５‘の機能形態は刃６１の持ち上げと取り下ろしがもはや不要である以外は同様である。
【００４１】
この説明から、本発明により設定された目的は、単純でコストがかからなくかつ使い方の柔軟な切断装置、すなわち、繰り返しの概念から全く外れたロール紙１０の縦方向進行中のあらゆる時点におけると同時に制御された方法であらゆる形状の長さ方向切断線の生成を可能にする切断工具６０，６０‘等を用いて達成可能であることがはっきり引き出される。
【００４２】
本発明は説明された実施例に限定されずに、付録の請求項に定義された保護範囲に留まるかぎり専門家にとって明らかなあらゆる変更例や変型例に拡大される。
【図面の簡単な説明】
【００４３】
本発明とその諸利点は付録図を参照して非限定的な例として挙げられるいくつかの実施形態例に関する次の説明によりさらによく明らかになろう。
【００４４】
【図１】本発明による切断装置の設置概要図
【図２Ａ】それぞれ１つおよび２つの切断紙帯を得るための紙幅部内に描かれた切断外形の上面図
【図２Ｂ】それぞれ１つおよび２つの切断紙帯を得るための紙幅部内に描かれた切断外形の上面図
【図３】本発明による切断装置の透視図
【図４】図３の装置の下面図
【図５Ａ】本発明による切断装置の実施変型例のそれぞれ透視図と断面図
【図５Ｂ】本発明による切断装置の実施変型例のそれぞれ透視図と断面図
【図６】３つのその他の異なる実施形態による図３の切断装置の上面図
【図７】３つのその他の異なる実施形態による図３の切断装置の上面図
【図８】３つのその他の異なる実施形態による図３の切断装置の上面図
【図１】
2009502526.tif 000003
【図２Ａ】
2009502526.tif 000004
【図２Ｂ】
2009502526.tif 000005
【図３】
2009502526.tif 000006
【図４】
2009502526.tif 000007
【図５Ａ】
2009502526.tif 000008
【図５Ｂ】
2009502526.tif 000009
【図６】
2009502526.tif 000010
【図７】
2009502526.tif 000011
【図８】
2009502526.tif 000012
【手続補正書】
【提出日】平成19年1月8日(2007.1.8)
【手続補正１】
【補正対象書類名】特許請求の範囲
【補正対象項目名】全文
【補正方法】変更
【補正の内容】
【特許請求の範囲】
【請求項１】
少なくとも１つの対向部品（７０，７０‘）と協働する少なくとも１つの第１組の切断工具（６０，６０‘）を支える少なくとも１つの台座（５０）が含まれ、材料（１０）の幅部の縦方向進行方向（Ｄ）に垂直な平行移動軸（Ｂ）により前記工具（６０，６０‘）の移動用の平行移動駆動機構（９０）に連結されるキャリッジ（６３）に２つの切断工具（６０，６０‘）間の間隔が修正されるように各切断工具（６０，６０’）が取付けられ、該各切断工具（６０，６０’）はまた前記平行移動軸（Ｂ）に垂直かつ材料（１０）の幅部の縦方向進行方向（Ｄ）の回転軸（Ａ）による前記切断工具（６０，６０‘）の移動用の前記移動キャリッジ（６３）に乗せられる回転駆動機構（８０）の駆動装置（８１）に切断角度が修正されるように連結される、前記平行移動（９０）と回転（８０）の駆動機構が予め決められると同時に制御されるランダムな順番で変動する長さ方向前記外形（１２）に対向する切断線の生成用の少なくとも１台の中央制御装置により組み合わせて制御される、予め決められかつ制御されるランダムな順番で変動する長さ方向外形（１２）をたどる少なくとも１本の帯（１１）の切断用縦方向連続進行材料（１０）特に紙等の幅部の長さ方向切断装置（５，５‘）
【請求項２】
切断装置がレーザービーム、超音波ビーム、噴射水、鋭利な尖端、円形刃が含まれる集団の中から選択されることを特徴とする請求項１による切断装置
【請求項３】
連続縦方向進行材料（１０‘）の同一幅部内において予め決められかつ制御されるランダムな順番で変動する長さ方向第２外形（１２’）をたどる第２帯（１１’）の切断用の第２組の切断工具（６０，６０‘）が含まれることを特徴とする請求項１による切断装置
【請求項４】
前記駆動装置（８１）が機械式伝動装置（８２，８３）によりその切断工具（６０，６０‘）に連結されることを特徴とする請求項１による切断装置
【請求項５】
これらが対向部品（７０）から離れている少なくとも１ヶ所の持ち上げられた停止位置とこれらが対向部品（７０）と押圧接触する下げられた作動位置との間で前記切断工具（６０）の移動用に設置される少なくとも１台の圧搾機構（６５）が含まれることを特徴とする請求項１から請求項４までの任意の請求項による切断装置
【請求項６】
前記圧搾機構に前記移動キャリッジ（６３）に乗せられる少なくとも１台のジャッキ（６５）が含まれること、ならびに前記切断工具（６０）が前記回転軸（Ａ）を定める前記ジャッキ（６５）の軸（６４）により支えられることを特徴とする請求項５による切断装置
【請求項７】
前記切断工具（６０‘）に円形刃（６１）と前記回転軸（Ａ）廻りに揺動すると同時に、前記回転駆動機構（８０）に連結される支持材（５３）により支えられる対向円形刃（６1’）が含まれることを特徴とする請求項１による切断装置
【請求項８】
前記対向部品（７０‘）にローラー（７１’）により延長されると同時に、前記揺動支持材（５３）に乗せられる駆動装置（７３）によりその軸（Ｅ）廻りに回転駆動される対向円形刃（６１’）が含まれることを特徴とする請求項７による切断装置
【請求項９】
平行移動駆動機構（９０）に１組の切断工具（６０，６０‘）に共通でかつ逆転方向でかつ同期をとった平行移動用に設置される前記移動キャリッジ（６３）の機械式伝動装置により前記移動キャリッジ（６３）に連結される少なくとも１台の駆動装置（９１）が含まれることを特徴とする請求項１による切断装置
【請求項１０】
前記駆動装置（７３，８１，９１）が原動機類、原動減速機類、サーボ原動機類、ジャッキ類、電磁石類が含まれる集団の中から選択されることを特徴とする請求項８または請求項９による切断装置
【請求項１１】
前記機械式伝動装置が、歯車装置（８２，８３）類、小歯車（９２，９３）と平板歯車（９４）類、逆ねじ山（101a, 101b）付きウォームネジくぎ（１０１）とナット（１０４）類、小連結棒（１１２，１１３）類、ウォームネジくぎ（１２４，１２５）と小連結棒（１２３）類が含まれる集団の中から選択されることを特徴とする請求項４または請求項９による切断装置
【請求項１２】
前記対向部品（７０）に少なくとも１本のその軸（Ｃ）の廻りの回転作動筒（７１）が含まれることを特徴とする請求項１による切断装置
【請求項１３】
少なくとも１台から出る切断屑の自動排出装置が含まれることを特徴とする請求項１による切断装置
【請求項１４】
排出装置に各切断工具（６０，６０‘）近傍に設置されると同時に、中央吸入装置を経由した配管により容器に連結される少なくとも１本の吸入導管（８）が含まれることを特徴とする請求項１３による切断装置
【国際調査報告】
2009502526.tif 000013
2009502526.tif 000014
2009502526.tif 000015
2009502526.tif 000016
2009502526.tif 000017
2009502526.tif 000018